(57)【要約】      （修正有）【課題】天然繊維生地とスポンジ片の長所を生かし、皮膚に優しく、背中及び背中以外の洗浄にも適した浴用ボディ洗浄具を提供する。【解決手段】皮膚に優しいが比較的泡立ちや泡持ちに劣る綿、麻、絹等天然繊維素材の手ぬぐいやガーゼ、タオル等の欠点を補うために、それらを２枚以上重ねて帯状にし、その内部に泡立ち、泡持ちに優れているスポンジ片２を天然繊維生地１のほぼ中央から両側に１枚または複数枚ずつ（偶数枚）挿入し、スポンジ片が移動しないように周辺の天然繊維生地を縫合する。肩甲骨周辺部のへこみ部分等背中の洗浄にも背中以外の部位の洗浄にも最適で、浴室のタオル掛けやハンガー等に掛け易くて干し易い衛生的な浴用ボディ洗浄具となる。【選択図】図１
0003210099.tif 000002
【実用新案登録請求の範囲】
【請求項１】
綿、麻、絹等天然繊維生地を２枚以上重ね、その内部に薄いシート状のスポンジ片を偶数枚挿入し、背中及び背中以外の部位の洗浄に適したスポンジ入り浴用ボディ洗浄具。
【考案の詳細な説明】
【技術分野】
【０００１】  本考案は、天然繊維生地とスポンジ片の長所を生かし、皮膚に優しく、背中及び背中以外の部位の洗浄効果を向上させた浴用ボディ洗浄具に関する。
【背景技術】
【０００２】  浴場で身体を洗浄する一般的な道具としては、手ぬぐいやタオル、ガーゼ、天然へちま、たわし、ナイロンタオル、ブロック状スポンジ体、ブラシ等がある。従来、泡立ち性、泡持ち性、泡切れ性、触感性（肌触り）、洗浄性、使用性（使いやすさ）、乾燥性等を求めて、さまざまな形状や素材の浴用ボディ洗浄具が開発されてきたが、単体ですべての特性を満たしているものはない。【０００３】  天然繊維素材の手ぬぐいやタオル、ガーゼは触感性に優れているが、泡立ち、泡持ちが悪い。また、背中を洗浄する場合、それらを背中に当て、その両端を両手でそれぞれ持って、上下あるいは左右に交互に引っ張り合うが、細い棒状になって皮膚へのフィット感が損なわれてしまう。特に、肩甲骨周辺部のへこみ部分の洗浄効果に不安が生じる。【０００４】  合成繊維素材のナイロンタオルは、泡立ち、泡持ち、濯ぎの際の泡切れが良く、洗浄性に優れているが、比較的皮膚への刺激が強く、洗浄時の力加減を誤ると皮膚を保護している皮脂膜を流してしまう心配があり、皮膚の弱い人には不向きである。【０００５】  浴用ボディ洗浄具の中でいちばん泡立ち、泡持ちが良いブロック状スポンジ体は、その形状上、自分の手の届かない背中の洗浄には向いていない。天然へちまやたわし、ブラシ等も同様である。背中洗浄用の紐付きたわしや柄付きブラシ等があるが、背中以外の部位の洗浄には使いにくい。
【先行技術文献】
【特許文献】
【０００６】
【特許文献１】実開平０５−０６５２９１号  広報
【特許文献２】実開平０６−０３６４８７号  広報
【考案の概要】
【考案が解決しようとする課題】
【０００７】  特許文献１及び特許文献２に、背中の洗浄効果を向上させるために浴用タオルの内部にスポンジ芯、スポンジ片を挿入した浴用ボディ洗浄具が開示されていた。【０００８】  しかし、特許文献１は浴用タオルの中央部にスポンジ芯を１枚入れるもので、スポンジ芯と背中の接触面が少なく、使用性（使い易さ）に不安がある。また、スポンジ芯が中央部にあるため、使用後に浴室のタオル掛けやハンガー等に掛けにくい。特許文献２は合成繊維素材のタオル生地を使用するため、皮膚の弱い人には不向きである。【０００９】  健康志向、自然志向の高まりから天然繊維素材の嗜好傾向が強まっているので、天然繊維生地の欠点である泡立ち性、泡持ち性を向上させた浴用ボディ洗浄具を提供する【００１０】  背中及び背中以外の部位の洗浄性、使用性（使い易さ）を向上させた、天然繊維生地の浴用ボディ洗浄具を提供する。
【課題を解決するための手段】
【００１１】  本考案の浴用ボディ洗浄具は、天然繊維生地の内部に薄手のスポンジ片をほぼ中央から両側に１枚または複数枚ずつ、合わせて偶数枚挿入し、スポンジ片が移動しないようにその周辺の生地を縫合し、併せてこの生地の両方の長辺縁端部もしくは四方の長短辺縁端部を縫合することを特徴とするスポンジ入り浴用ボディ洗浄具である。
【考案の効果】
【００１２】  本考案のスポンジ入り浴用ボディ洗浄具で背中を洗浄するときは帯状にするが、適度なボリューム（幅、厚み）のある偶数枚のスポンジ片がその浴用ボディ洗浄具が細い棒状になるのを防ぎ、泡立ち、泡持ちを向上させ、肩甲骨周辺部のへこみ部分にも密着するので、背中の洗浄効果が非常に高まる。【００１３】  本考案のスポンジ入り浴用ボディ洗浄具で背中以外の部位を洗浄するときは、天然繊維生地の端部とスポンジ片挿入部を折り重ねて固形状にするので、ブロック状スポンジ体のような泡立ち性、泡持ち性、洗浄性、使用性を実現できる。【００１４】  本考案のスポンジ入り浴用ボディ洗浄具の天然繊維生地の内部に挿入するスポンジ片は薄シート状のスポンジであるため、泡切れが良く、乾燥し易い。また、スポンジ片がほぼ中央から両側に１枚または複数枚ずつ、合わせて偶数枚挿入されているため、浴室のタオル掛けやハンガー等に掛け易くて干しやすい。
【図面の簡単な説明】
【００１５】
【図１】本考案のスポンジ入り浴用ボディ洗浄具の断面図である。
【図２】本考案のスポンジ入り浴用ボディ洗浄具の平面図である
【図３】本考案のスポンジ入り浴用ボディ洗浄具を帯状にしたときの斜視図である。
【図４】本考案のスポンジ入り浴用ボディ洗浄具を固形状にしたときの断面図である。
【考案を実施するための形態】
【００１６】  図１に示すように、綿、麻、絹等の天然繊維生地１を２枚以上重ね、その間に薄シート状のスポンジ片２を天然繊維生地１のほぼ中央から両側に１枚または複数枚ずつ、合わせて偶数枚を挿入する。
【００１７】  図２に示すように、２枚以上重ねた天然繊維１の間に挿入した偶数枚の薄シート状のスポンジ片２が移動しないように、その周辺の天然繊維生地１を縫合する。また、２枚以上重ねた天然繊維生地１の長辺縁端部７のみ、もしくは長辺縁端部７と短辺縁端部６を縫合する。薄シート状のスポンジ片２の周辺部と天然繊維生地１の長辺縁端部７のみを縫合すると、天然繊維生地端部３が筒状になり、もう一方の天然繊維生地端部３とスポンジ片挿入部４を縫合部５で折り重ねて押し入れることができる。
【００１８】  本考案のスポンジ入り浴用ボディ洗浄具の天然繊維生地１の内部に挿入する薄シート状のスポンジ片２の厚さは、泡切れ性、乾燥性を向上させるために５〜１０ｍｍ程度とする。
【００１９】  本考案のスポンジ入り浴用ボディ洗浄具の天然繊維生地１のサイズは、図３のように帯状にしたときに背中の洗浄に適し、図４のように固形状にしたときに片手で持ち易くするために、幅１０〜１５ｃｍ程度、長さ８５〜１００ｃｍ程度とする。
【００２０】  本考案のスポンジ入り浴用ボディ洗浄具の天然繊維生地１として、一般的な手ぬぐい（幅３４〜３６ｃｍ程度、長さ９０〜１００ｃｍ程度）の短辺側を三つ折りにして使用することができる。
【００２１】  本考案のスポンジ入り浴用ボディ洗浄具は天然繊維生地１を２枚以上重ねて使用しているが、その天然繊維生地の素材や織り方は同一である必要はない。それぞれ異なる素材や織り方の天然繊維生地を２枚以上重ねて構成することもできる。
【実施例】
【００２２】  図３は、本考案のスポンジ入り浴用ボディ洗浄具を帯状にしたときの斜視図である。背中の洗浄時に用いる形状で、スポンジ入り浴用ボディ洗浄具の一方の天然繊維生地端部３を持って背中に当て、もう一方の天然繊維生地端部３をもう一方の手で持ち、上下あるいは左右方向に引っ張り合って洗浄する。この場合、天然繊維生地１が帯状になった状態でもスポンジ片挿入部４が適度なボリュームを保持しているため、一般的な手ぬぐい、ガーゼ、タオル等のように細い棒状にはならない。また、スポンジ片挿入部４が泡立ち性、泡持ち性を高め、肩甲骨周辺部のへこみ部分に密着するので、洗浄性が向上する。【００２３】  図４は、本考案のスポンジ入り浴用ボディ洗浄具の天然繊維生地端部３とスポンジ片挿入部４を縫合部５で折り重ねて固形状にしたときの断面図である。背中以外の部位を洗浄するときに用いる。短辺縁端部６を縫合しない場合、天然繊維生地端部３が筒状になるので、もう一方の天然繊維生地縁端部３とスポンジ片挿入部４を縫合部５で折り重ねて押し入れて使用することもできる。天然繊維生地端部３とスポンジ片挿入部４の折り重ね方は、洗浄する部位、泡立ちや泡持ちの具合によって選択できる。【００２４】  本考案のスポンジ入り浴用ボディ洗浄具は、天然繊維生地１の内部にほぼ中央から両側に１枚または複数枚ずつ、合わせて偶数枚のスポンジ片２が挿入されているので、浴室のタオル掛けやハンガー等に掛け易くて干し易く、衛生的である。
【符号の説明】
【００２５】  １  天然繊維生地  ２  スポンジ片  ３  天然繊維生地端部  ４  スポンジ片挿入部  ５  縫合部  ６  短辺縁端部  ７  長辺縁端部
【図１】
0003210099.tif 000003
【図２】
0003210099.tif 000004
【図３】
0003210099.tif 000005
【図４】
0003210099.tif 000006